(57)【要約】  多芯ケーブル用終端ハウジング（１０）は上側ケーブル（１２）と下側ケーブル（１４）を含む。上側ケースは第１の複数の溝（１５）を有し、下側ケースは第２の複数の溝（１５）を有し、それらの溝同士及びケース同士は互いに対をなす形状を有する。上側ケースと下側ケースとが嵌合されると、ケーブル充填空間（１８）とケーブル引き出し口（２０）が画定されるとともに、第１の複数の溝と第２の複数の溝とがつながり、ケーブル終端コネクタ（２４）を挿入するための、ケーブル充填空間からケーブル引き出し口の反対側にあるハウジングの前側に向かって並列配置で開口する、複数の環帯（１６）を画定する。
2016520966.tif 000002
【特許請求の範囲】
【請求項１】
第１の複数の溝（１５）を有する上側ケース（１２）と、
第２の複数の溝（１５）を有し、前記上側ケースと対をなす形状を有する下側ケース（１４）とを備え、
前記下側ケースと前記上側ケースとの嵌合によって、ケーブル充填空間（１８）とケーブル引き出し口（２０）が画定されるとともに、前記第１の複数の溝と前記第２の複数の溝とがつながって、複数のケーブル終端コネクタ（２４）を挿入するための、前記ケーブル充填空間から前記ケーブル引き出し口と反対側にある前記ハウジングの前側に向かって並列配置で開口する複数の環帯（１６）を画定する、多芯ケーブル用終端ハウジング（１０）。
【請求項２】
前記複数の環帯は、複数の同軸ケーブル終端コネクタを保持する形状を有する請求項１に記載のハウジング。
【請求項３】
前記第１の複数の溝の内の少なくとも一つまたは前記第２の複数の溝のうちの少なくとも一つには位置標識（２８）が付されている請求項１に記載のハウジング。
【請求項４】
前記上側ケースまたは前記下側ケースの少なくとも一方には位置確認マーカー（３０）が付されている請求項１に記載のハウジング。
【請求項５】
前記上側ケースと前記下側ケースはネジ付き締結部品（３２）によって互いに嵌合される請求項１に記載のハウジング。
【請求項６】
前記上側ケースと前記下側ケースが一体となって、前記ハウジングの前側の近傍で当該ハウジングに少なくとも１つの肉盗み部（４０）を画定する請求項１に記載のハウジング。
【請求項７】
各々が対応する終端コネクタ（２４）を有する複数の伝導体と、
平行に並んだ前記複数の終端コネクタのうちの対応する１つの終端コネクタを各々が保持する複数の環帯（１６）を含むハウジング（１０）と、
を備える多芯ケーブル（２２）。
【請求項８】
前記伝導体は電気伝導体である請求項７に記載の多芯ケーブル。
【請求項９】
前記伝導体は光伝導体である請求項７に記載の多芯ケーブル。
【請求項１０】
規則的に並んだ複数のポートに複数のケーブルを素早く接続するための方法であって、
前記規則的に並んだ複数のポートに対して登録されるように配列された複数の環帯（１６）を画定するハウジング（１０）を用意し、
前記複数の環帯の各々に前記複数のケーブルのうちの１つケーブルの終端コネクタ（２４）を挿入し、
複数の終端コネクタを前記規則的に並んだ複数のポートに接続するために前記ハウジングを位置決めすることを備える前記方法。
【請求項１１】
前記ハウジングに予め付された位置記号（２８）に従って複数の終端コネクタを挿入することをさらに備える請求項１０に記載の方法。
【発明の詳細な説明】
【技術分野】
【０００１】
本発明は電気ケーブル接続部に関する。本発明の特定の実施形態は多数のケーブル接続部の配列に関する。
【背景技術】
【０００２】
コンピュータ及び同様の装置は、情報を共有及び交換するためにコンピュータネットワークを介して接続され得る。一般的なコンピュータネットワークは、通信アーキテクチャ（いわゆるプロトコルスタック）のデータリンク層と物理層によって実行される機能を規定するデータ通信プロトコル（ＬＡＮ規格）、例えばイーサネット、ＦＤＤＩまたはトークンリング等を通常使用するローカルエリアネットワーク（ＬＡＮ）である。様々なＩＥＥＥ８０２．１１規格（ＷiＦi）が、ほとんどの用途にとって主要なコンピュータネットワークプロトコルになると予測される。しかし、ある用途では、特定の工業規格に適合するために固定回線接続が必要とされ続けるであろう。使用するＬＡＮ規格によって様々なタイプのケーブルが固定回線ネットワークを実施するために使用され得る。例えば、イーサネットにとってはＵＴＰ（非シールドより対線）ケーブルが標準的なものであるが、イーサネットプロトコルは５０または７５オームの同軸ケーブルを使用して実施され得る。
【発明の概要】
【発明が解決しようとする課題】
【０００３】
ＬＡＮ内では、スイッチまたはルーターは、そのスイッチをＬＡＮ内またはＬＡＮ外にある他のコンピュータに接続する複数のポートを含むコンピュータである。大抵、ルーターは特定の用途要件に合致するために他のコンピュータのうちのいくつかまたは全てから遠く隔てて設置されることがある。例えば、他のコンピュータは一般ユーザーや公衆にアクセス可能であるが、ルーターはアクセス規制された場所で維持管理されることがある。したがって、ユーザー位置からルーター位置まで多数のケーブルを束で配索することが必要となることがある。様々な理由によって、ルーターのケーブル束を定期的に取り外し、どのケーブルをルーターのどのポートに挿すかを取り違えずに再接続することが必要となることがある。
【課題を解決するための手段】
【０００４】
本発明の実施形態によれば、ルーターのまたは同様の装置の規則的に設けられた複数のポートに複数の同軸ケーブルコネクタを素早く接続するための、またはそれらポートから複数の同軸ケーブルコネクタを素早く取り外すためのハウジングが提供される。
【０００５】
ある実施形態では、このハウジングは、第１の複数の溝を有する上側ケースと第２の複数の溝を有する下側ケースを含む。下側ケースは上側ケースと対をなす形状を有する。上側ケースと下側ケースとの嵌合によって、ケーブル充填空間とケーブル引き出し口が画定されるとともに、第１の複数の溝と第２の複数の溝とがつながって、複数のケーブル終端コネクタを挿入するための、ケーブル充填空間からケーブル引き出し口の反対側にあるハウジングの前側に向かって並列配置で開口する複数の環帯(collar)を画定する。
【０００６】
他の実施形態では、多芯ケーブルは、各々が対応する終端コネクタを有する複数の伝導体と、平行に並んだ複数の終端コネクタのうちの対応する１つの終端コネクタを各々が保持する複数の環帯を含むハウジングとを備える。
【０００７】
これらの目的及び他の目的、本発明の特徴及び利点は、添付した図面に示された通りの最良の実施形態の詳細な説明に照らして、明らかになるであろう。
【図面の簡単な説明】
【０００８】
【図１】本発明の実施形態による同軸ケーブルコネクタ用の集合ハウジングの上側ケースと下側ケースとが分離されている状態の斜視図。
【図２】図１に示した集合ハウジングの上側ケースと下側ケースとが組み立てられた状態の斜視図。
【発明を実施するための形態】
【０００９】
本発明の実施形態は、多芯ケーブルの多数のコア（芯）を終端させる同軸ケーブルコネクタを確実に受承及び掴持するための、図１、２に示すような集合ハウジング１０を提供する。この独創的なハウジング１０は上側ケース１２と下側ケース１４を含み、各ケースはその前面に複数の溝１５を有しており、他方のケースの溝と対になって複数のコネクタ環帯１６（図２）の配列を画定する。上側ケース１２と下側ケース１４は、図１に示すようにケーブル充填空間１８とケーブル引き出し口２０を画定するために（例えばネジ付き締結部品によって、リベットによって、接着剤によって、溶接によって、留めがねによって等）互いに締結可能である。
【００１０】
ハウジング１０を用いるためには、（図１に示した）多芯同軸ケーブル２２が上側ケース１２のまたは下側ケース１４のケーブル引き出し口部２０に入れられ、その多芯ケーブルのピグテール２６がケーブル充填空間１８内に入れられた状態でそのケーブルの終端コネクタ２４がコネクタ環帯１６に配置される。この状態で、複数のコネクタ環帯１６は、相手となるルーターポートの配列に対して全てのコネクタを同時に接続及び取り外し可能であるように複数の終端コネクタ２４を並列配置で保持する。複数の終端コネクタ２４は、図示されるような直線状の配列で保持されてもよいし、または周知のルーターポート集合化配置に対応する他の任意の配置で保持されてもよい。上側ケース１２と下側ケース１４は、その後互いに締結されて、コネクタ環帯１６内の終端コネクタ２４を掴持する。
【００１１】
任意に、１つ以上の溝１５の内側には、どのケーブル終端部をその環帯に挿せばよいかを示す位置標識２８（例えば数字）が付されている。例えば例示の適用では、４芯同軸ケーブルが単一のルーターの４つのポートからネットワーク内の４つの異なるコンピュータに４つの異なるデータストリームを送信し得る。標識２８は各コンピュータを多芯ケーブルを介してそれに対応するルーターポートに接続するための複数のケーブル終端部２４の挿し方を技術者に知らせることができる。
【００１２】
上側ケース１２または下側ケース１４のうちの１つが１つまたは複数の位置確認マーカー３０を含むと、ハウジング１０を複数のルーターポートの配列に適切に接続することができて有用である。例えば、上側ケース１２はネジ付き締結部品を遊嵌するためのプラスチックスリーブ３０ａを含み、その一方で、下側ケース１４はネジ付き締結部品をネジ止めするためのプラスチックパッド３０ｂを含む。これにより、図２に示すように、上側ケース１２上のネジ付き締結部品の頭部３２が、どこを上向きにしてハウジング１０をルーターに取り付けるのかを示す位置確認マーカーとして機能する。しかしながら、ネジ付き締結部品またはリベットが使用されない実施形態では、１つ以上の位置確認マーカーが上側ケース１２の外面に成形され得る。
【００１３】
ある実施形態では、上側ケース１２と下側ケース１４はハウジング１０を（図示しない）ルーター本体に固定するための締結部品を挿入するための穴３６を備えた固定片３４を含み得る。加えて、固定片３４の近傍において、上側及び下側ケース１２、１４の外壁３８は、ケース成形のための資材所要量が減るように、ケーブル端部２４に対してハウジング１０を肉盗みした凹部４０を含み得る。（図示しない）いくつかの実施形態では、その肉盗み部は上側及び下側ケース１２、１４のリブ４２同士が固定片３４の間で接触しないようにハウジング１０を横切って連続することができ、これにより資材所要量がさらに減る。しかし、溝１５を画定するのに十分なリブ構造が必要であり、そうすることによって複数の終端コネクタ２４が平行に並んで掴持されることとなる。
【００１４】
この発明は、例示の実施形態に関して詳細に示され、説明されたが、様々な変更が本発明の技術的思想と範囲を逸脱することなく、形式上及び細部において成され得ることが当業者にとって理解できるであろう。
【００１５】
例えば、ハウジング１０の変更例は、単に環帯形状の適応化によって、様々な他のプッシュプル型の複数のコネクタの配列、例えば、８Ｐ８Ｃ、ＲＪ４５、ＵＳＢ、ｍｉｎｉ−ＤＩＮ、Ｄ−ｓｕｂ、ＴＯＳＬＩＮＫ、ＥＳＣＯＮ、ＦＤＤＩ等に適合するように作られることができる。
【図１】
2016520966.tif 000003
【図２】
2016520966.tif 000004
【国際調査報告】
2016520966.tif 000005